【事件の表示】
　特許第２９０７２５５号「タクシー領収書発行装置」の請求項１に係る特許に対する特許異議の申立てについて、次のとおり決定する。
【結　論】
　訂正を認める。
　本件特許異議の申立てを却下する。
【理　由】
１．手続の経緯
　特許第２９０７２５５号の発明についての出願は、平成５年７月１６日に出願され、平成１１年４月２日にその発明について特許の設定登録がなされ、その後、異議申立人　佐藤勝明　により特許異議申立がなされ、平成１２年１０月３日付け取消理由通知がなされ、その指定期間内である平成１２年１２月１５日に特許異議意見書および訂正請求書が提出され、その後、平成１３年１０月１日に訂正拒絶理由通知がなされ、その指定期間内である平成１３年１２月５日に意見書および手続補正書が提出されたものである。
　
２．訂正の適否についての判断
（１）訂正請求に対する補正の適否について
　上記手続補正書は、次のａ．〜ｃ．のように補正するものである。
　
ａ．訂正請求書の請求項２の
「　【請求項２】　前記印字処理手段(４)を、前記入力データ判定手段(３)で、
　文字印字指令であると判定された場合は、料金確定後でないと印字出来ない文字を除く領収書記入文字を前記文字記録メモリ(１)より読出して前記印字器(２)で印字させ、
　料金データであると判定された場合は、入力判定手段(３)で文字印字指令であると判定されて印字器(２)で印字された領収書の未印字の料金データおよび文字を前記文字記録メモリ(１) より読出して印字器(２) で印字させ
るようにしたことを特徴とする溝求項１記載のタクシー領収書発行装置。」
を、
「【請求項２】　タクシーの乗車料金の領収書を発行するタクシー領収書発行装置であって、
　領収書印字文字の文字データを記録する文字記録メモリ(１)と、
　領収書発行用紙に文字を印字する印字器(２)と、
　入力データが文字印字指令データか料金データであるかを判定する入力データ判定手段(３)と、
　前記入力データ判定手段(３)で、
　文字印字指令であると判定された場合は、料金確定後でないと印字出来ない文字を除く領収書記入文字を前記文字記録メモリ(１)より読出して前記印字器(２)で印字させ、
　料金データであると判定された場合は、入力データ判定手段(３)で文字印字指令であると判定されて印字器(２)で印字された領収書の未印字の料金データおよび文字を前記文字記録メモリ(１)より読出して印字器(２)で印字させ、
る印字処理手段(４)と、
を備えたことを特徴とするタクシー領収書発行装置。」
と補正する。
　
ｂ．訂正請求書の段落【０００６】の
「【０００６】
　　【課題を解決するための手段】
　前述の課題を解決するための手段を図１を参照して説明する。図１は本発明の基本構成図である。
　タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字の最後の文字より順次読出して、料金確定後でないと印字出来ない列まで前記印字器（２）で印字させ、料金データであると判定された場合は、入力料金データに関連する文字および残りの領収書記入文字を前記文字記録メモリ（１）より読出して印字器（２）で印字させる印字処理手段（４）と、を備える。」
を、
「【０００６】
　　【課題を解決するための手段】
　前述の課題を解決するための手段を図１を参照して説明する。図１は本発明の基本構成図である。
　請求項１の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字の最後の文字より順次読出して、料金確定後でないと印字出来ない列まで前記印字器（２）で印字させ、料金データであると判定された場合は、入力料金データに関連する文字および残りの領収書記入文字を前記文字記録メモリ（１）より読出して印字器（２）で印字させる印字処理手段（４）と、を備える。
　また、請求項２の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、料金確定後でないと印字出来ない文字を除く領収書記入文字を前記文字記録メモリ（１）より読出して前記印字器（２）で印字させ、料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、る印字処理手段（４）と、を備える。」
と補正する。
　
ｃ．訂正請求書の段落【０００８】の
「【０００８】
　印字処理手段４では、入力データ判定手段３で文字印字指令であった場合は、文字記録メモリ１より領収書記入文字の最後の文字より順次読出して、料金確定後でないと印字出来ない列まで印字器２で印字させる。
　また、入力データ判定手段３で料金データと判定された場合は、料金データに関連する文字および残りの領収書記入文字を文字記録メモリ１より読出して印字器２で印字させる。」
を、
「【０００８】
　請求項１の発明では、印字処理手段４では、入力データ判定手段３で文字印字指令であった場合は、文字記録メモリ１より領収書記入文字の最後の文字より順次読出して、料金確定後でないと印字出来ない列まで印字器２で印字させる。
　また、入力データ判定手段３で料金データと判定された場合は、料金データに関連する文字および残りの領収書記入文字を文字記録メモリ１より読出して印字器２で印字させる。
　また請求項２の発明では、印字処理手段４では、入力データ判定手段で文字印字指令であった場合は、料金確定後でないと印字出来ない文字を除く領収書記入文字を文字記録メモリ１より読出して印字器２で印字させる。
　また、入力データ判定手段で料金データと判定された場合は、入力データ判定手段３で文字印字指令であると判定されて印字器２で印字された領収書の未印字の料金データおよび文字を文字記録メモリ１より読出して印字器２で印字させる。」
と補正する。
　
　このａ．の手続補正は、訂正請求書における請求項１の訂正に伴って、同請求項を引用して記載している請求項２の記載内容も訂正しなければならないのを看過し、そのため、請求項２の内容に矛盾をきたし、文章として成り立たたなくなっていたものに、整合性をもたせるために補正するものであり、軽微な瑕疵の補正に該当する。
　また、上記ｂ．およびｃ．の手続補正は、このような請求項２における矛盾のため、同請求項と、段落【０００６】および【０００８】との間に欠けていた整合性を回復するために、これらの段落を補正するものであり、軽微な瑕疵の補正に該当する。
　よって、これらａ．〜ｃ．の手続補正は、訂正請求書の要旨を変更するものではなく、特許法第１２０条の４第３項において準用する同法１３１条第２項の規定に適合するので、前記手続補正書による手続補正を採用する。
　
（２）訂正の内容
　したがって、特許権者が求めている訂正の内容は、上記手続補正書に添付された全文訂正明細書に記載された、以下のａ．〜ｃ．のものである。
ａ．特許請求の範囲の
「【請求項１】 タクシーの乗車料金の領収書を発行するタクシー領収書発行装置であって、
　領収書印字文字の文字データを記録する文字記録メモリ（１）と、
　領収書発行用紙に文字を印字する印字器（２）と、
　入力データが文字印字指令データか料金データであるかを判定する入力データ判定手段（３）と、
　前記入力データ判定手段（３）で、
　文字印字指令であると判定された場合は、前記文字記録メモリ（１）より領収書記入文字を順次読出して前記印字器（２）で印字させ、
　料金データであると判定された場合は、料金データに関連する文字を前記文字記録メモリ（１）より読出して印字器（２）で印字させ、
る印字処理手段（４）と、
　を備えたことを特徴とするタクシー領収書発行装置。
【請求項２】 前記印字処理手段（４）を、前記入力データ判定手段（３）で、
　文字印字指令であると判定された場合は、前記文字記録メモリ（１）より領収書記入文字の最後の文字より順次読出して、料金確定後でないと印字出来ない列まで前記印字器（２）で印字させ、
　料金データであると判定された場合は、入力料金データに関連する文字および残りの領収書記入文字を前記文字記録メモリ（１）より読出して印字器（２）で印字させ、
るようにしたことを特徴とする請求項１記載のタクシー領収書発行装置。
【請求項３】 前記印字処理手段（４）を、前記入力データ判定手段（３）で、
　文字印字指令であると判定された場合は、料金確定後でないと印字出来ない文字を除く領収書記入文字を前記文字記録メモリ（１）より読出して前記印字器（２）で印字させ、
　料金データであると判定された場合は、入力判定手段（３）で文字印字指令であると判定されて印字器（２）で印字された領収書の未印字の料金データおよび文字を前記文字記録メモリ（１）より読出して印字器（２）で印字させるようにしたことを特徴とする請求項１記載のタクシー領収書発行装置。」
を、
「【請求項１】　タクシーの乗車料金の領収書を発行するタクシー領収書発行装置であって、
　領収書印字文字の文字データを記録する文字記録メモリ(１)と、
　領収書発行用紙に文字を印字する印字器(２)と、
　入力データが文字印字指令データか料金データであるかを判定する入力データ判定手段(３)と、
　前記入力データ判定手段(３)で、
　文字印字指令であると判定された場合は、前記文字記録メモリ(１)より領収書記入文字の最後の文字より順次読出して、料金確定後でないと印字出来ない列まで前記印字器(２)で印字させ、
　料金データであると判定された場合は、入力料金データに関連する文字および残りの領収書記入文字を前記文字記録メモリ(１)より読出して印字器(２)で印字させ、
る印字処理手段(４)と、
　を備えたことを特徴とするタクシー領収書発行装置。
　【請求項２】　タクシーの乗車料金の領収書を発行するタクシー領収書発行装置であって、
　領収書印字文字の文字データを記録する文字記録メモリ(１)と、
　領収書発行用紙に文字を印字する印字器(２)と、
　入力データが文字印字指令データか料金データであるかを判定する入力データ判定手段(３)と、
　前記入力データ判定手段(３)で、
　文字印字指令であると判定された場合は、料金確定後でないと印字出来ない文字を除く領収書記入文字を前記文字記録メモリ(１)より読出して前記印字器(２)で印字させ、
　料金データであると判定された場合は、入力データ判定手段(３)で文字印字指令であると判定されて印字器(２)で印字された領収書の未印字の料金データおよび文字を前記文字記録メモリ(１)より読出して印字器(２)で印字させ、
る印字処理手段(４)と、
を備えたことを特徴とするタクシー領収書発行装置。」
と訂正する。
　
ｂ．明細書の段落【０００６】の
「【０００６】
　【課題を解決するための手段】
　前述の課題を解決するための手段を図１を参照して説明する。図１は本発明の基本構成図である。
　タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字を順次読出して前記印字器（２）で印字させ、料金データであると判定された場合は、料金データに関連する文字を前記文字記録メモリ（１）より読出して印字器（２）で印字させる印字処理手段（４）と、を備える。」
を、
「【０００６】
　　【課題を解決するための手段】
　前述の課題を解決するための手段を図１を参照して説明する。図１は本発明の基本構成図である。
　請求項１の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字の最後の文字より順次読出して、料金確定後でないと印字出来ない列まで前記印字器（２）で印字させ、料金データであると判定された場合は、入力料金データに関連する文字および残りの領収書記入文字を前記文字記録メモリ（１）より読出して印字器（２）で印字させる印字処理手段（４）と、を備える。
　また、請求項２の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、料金確定後でないと印字出来ない文字を除く領収書記入文字を前記文字記録メモリ（１）より読出して前記印字器（２）で印字させ、料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、る印字処理手段（４）と、を備える。」
と訂正する。
　
ｃ．明細書の段落【０００８】の
「【０００８】
　印字処理手段４では、入力データ判定手段３で文字印字指令であった場合は、文字記録メモリ１より領収書記入文字を順次読出して印字器２で印字させる。
　また、入力データ判定手段３で料金データと判定された場合は、印字処理手段４は、料金データに関連する文字を文字記録メモリ１より読出して印字器２で印字させる。」
を、
「【０００８】
　請求項１の発明では、印字処理手段４では、入力データ判定手段３で文字印字指令であった場合は、文字記録メモリ１より領収書記入文字の最後の文字より順次読出して、料金確定後でないと印字出来ない列まで印字器２で印字させる。
　また、入力データ判定手段３で料金データと判定された場合は、料金データに関連する文字および残りの領収書記入文字を文字記録メモリ１より読出して印字器２で印字させる。
　また請求項２の発明では、印字処理手段４では、入力データ判定手段で文字印字指令であった場合は、料金確定後でないと印字出来ない文字を除く領収書記入文字を文字記録メモリ１より読出して印字器２で印字させる。
　また、入力データ判定手段で料金データと判定された場合は、入力データ判定手段３で文字印字指令であると判定されて印字器２で印字された領収書の未印字の料金データおよび文字を文字記録メモリ１より読出して印字器２で印字させる。」
と訂正する。
　
　
（３）訂正の目的の適否、新規事項の有無及び拡張・変更の存否
イ．上記ａの訂正について
　上記ａの訂正は、
・元の請求項１を削除し、
・それに伴い、同請求項を引用していた元の請求項２および３を、
　独立記載様式に改めるとともに、これらの請求項を繰り上げ、
　新請求項１および２とする
ものである。
　この訂正は、特許請求の範囲の減縮および明瞭でない記載の釈明に該当し、願書に添付した明細書及び図面に記載された事項の範囲内においてなされたものであり、また、実質上特許請求の範囲を拡張又は変更するものでもない。
　　
ロ．ｂおよびｃの訂正について
　上記ｂおよびｃの訂正は、上記ａにおける特許請求の範囲の訂正と整合をとるため、発明の詳細な説明の記載を訂正するものであり、明瞭でない記載の釈明に該当する。
　そして、このｂおよびｃの訂正は、願書に添付した明細書及び図面に記載された事項の範囲内において訂正したものであり、実質上特許請求の範囲を拡張又は変更するものでもない。
　
　
（４）独立特許要件
ａ．訂正後の請求項１および２に係る発明
　訂正後の請求項１および２に係る発明は、上記手続補正書に添付された全文訂正明細書（以下、「訂正明細書」という。）の、特許請求の範囲の請求項１および２に記載された次のとおりのものである。
「【請求項１】　タクシーの乗車料金の領収書を発行するタクシー領収書発行装置であって、
　領収書印字文字の文字データを記録する文字記録メモリ(１)と、
　領収書発行用紙に文字を印字する印字器(２)と、
　入力データが文字印字指令データか料金データであるかを判定する入力データ判定手段(３)と、
　前記入力データ判定手段(３)で、
　文字印字指令であると判定された場合は、前記文字記録メモリ(１)より領収書記入文字の最後の文字より順次読出して、料金確定後でないと印字出来ない列まで前記印字器(２)で印字させ、
　料金データであると判定された場合は、入力料金データに関連する文字および残りの領収書記入文字を前記文字記録メモリ(１)より読出して印字器(２)で印字させ、
る印字処理手段(４)と、
　を備えたことを特徴とするタクシー領収書発行装置。
　【請求項２】　タクシーの乗車料金の領収書を発行するタクシー領収書発行装置であって、
　領収書印字文字の文字データを記録する文字記録メモリ(１)と、
　領収書発行用紙に文字を印字する印字器(２)と、
　入力データが文字印字指令データか料金データであるかを判定する入力データ判定手段(３)と、
　前記入力データ判定手段(３)で、
　文字印字指令であると判定された場合は、料金確定後でないと印字出来ない文字を除く領収書記入文字を前記文字記録メモリ(１)より読出して前記印字器(２)で印字させ、
　料金データであると判定された場合は、入力データ判定手段(３)で文字印字指令であると判定されて印字器(２)で印字された領収書の未印字の料金データおよび文字を前記文字記録メモリ(１)より読出して印字器(２)で印字させ、
る印字処理手段(４)と、
を備えたことを特徴とするタクシー領収書発行装置。」
　
ｂ．引用刊行物
　当審が、平成１２年１０月３日付け取消理由通知で引用した刊行物は、次のものである。
　刊行物１：特開昭６１−１９９１８６号公報
　刊行物２：特開昭６３−１７２６６２号公報
　
ｃ．引用刊行物に記載された発明
　この刊行物１には、次のような記載がなされている。
・刊行物１第１ページ右下欄１０〜１３行には「本発明はタクシーの乗車時に於けるタクシー料金の領収書の発行を自動化ならしめて迅速に行なうことができるタクシー用の領収書発行装置に関する。」と記載されている。
　
・刊行物１第２ページ左下欄１５〜１７行には「該インターフェ−ス５は日付と車管理番号との付記事項データをテンキー６の操作にて認定入力可能で」と記載されている。
　
・刊行物１第３ページ左上欄３〜８行には「メーター回路２から送信される料金表示デ−タの信号が増幅回路３を介して増幅、整形されてインターフェース５に適切な信号として受信され、また該インターフェース５は前期設定回路７に予め設定入力せしめた付記事項データを受信する状態にある。」と記載されている。
　
・刊行物１第３ページ左上欄１２〜１７行には「該インターフェース５が前記料金表示データと付記事項データとを同時に出力して該双方のデータをプリンター１５が用紙１０の所定箇所に印字することとなり、第４図に示す如き用紙１０の所定欄に料金、日付、車管理番号等が正確に記載された領収書１３が直ちに発行できるのである。」と記載されている。
　
　
　この刊行物２には、次のような記載がなされている。
・刊行物２第２ページ左上欄１６〜１８行には「従って電子レジスタ１において、オペレータによってキーボード部４より取引データが入力されると、」と記載されている。　
　
・刊行物２第２ページ右上欄５〜７行には「取引デ−タの入力の進行と共に、プリンタ部３でドット印字によってレシート７０，及びジャーナルに順次印字が行われ、合計金額等が印字されて」と記載されている。
　
・刊行物２第３ページ左上欄６〜９行には「第２図において、電子レジスタ１ａの制御部６ａはロゴ印字データを記憶する初期ロードデータメモリ６０，ロゴ印字を指令するロゴコマンド部６１，及び取引データメモリ６２を備え、」と記載されている。　
　
・刊行物２第３ページ右上欄１４行〜左下欄８行には「(2)取引データの登録により、インタフェース回路３１に印字情報が入力されると、スペースデータ，改行データ，及び印字データが夫々スペース制御部３２，改行制御部３３，及び印字制御部３４へ送られて、供給されるレシート用紙に印字ヘッド３ｂにより印字が行われる。
(3)取引データの印字が終了すると、ロゴコマンド部６１ａからロゴ印字指令がインタフェース回路３１に送られ、ロゴコマンド認識部３６ａにおいてロゴ印字指令が認識される。
(4)するとロゴ印字データ制御部３６ｂによってロゴ印字データメモリ３５ａから該当するロゴ印データが読み出されて、各々スペース制御部３２，改行制御部３３，及び印字制御部３４へ送られて、レシ−ト用紙に印字が行われ、レシート７０が発行される。」
と記載されている。　
　
　
ｄ．対比・判断
《訂正後の請求項１について》
（対比）
　刊行物１に記載された発明を、訂正後の請求項１に係る発明と対比すると、刊行物１に記載された「タクシー用の領収書発行装置」および「プリンター１５」は、請求項１に記載された「タクシー領収書発行装置」および「印字器（２）」にそれぞれ相当すると認められる。
（一致点）
　したがって、両発明は、
「　タクシーの乗車料金の領収書を発行するタクシー領収書発行装置であって、　
領収書発行用紙に文字を印字する印字器（２）、
　を備えたことを特徴とするタクシー領収書発行装置。」
で一致し、以下のＡ，Ｂの２点で相違する。
（相違点）
相違点Ａ：訂正後の請求項１に係る発明は、
「領収書印字文字の文字データを記録する文字記録メモリ(１)と、
　入力データが文字印字指令データか料金データであるかを判定する入力データ判定手段(３)と、
　前記入力データ判定手段(３)で、
　文字印字指令であると判定された場合は、前記文字記録メモリ(１)より領収書記入文字を順次読出して、前記印字器(２)で印字させ、
　料金データであると判定された場合は、入力料金データに関連する文字および残りの領収書記入文字を前記文字記録メモリ(１)より読出して印字器(２)で印字させ、
る印字処理手段(４)と、」
を備えているが、刊行物１に記載された発明は、これらのメモリ、判定手段及び処理手段を備えているかどうか不明である。
　この点で両発明は、相違している。（以下、「相違点Ａ」という。）
　
相違点Ｂ：訂正後の請求項１に係る発明では、
　前記入力データ判定手段(３)で文字印字指令であると判定された場合においては、「前記文字記録メモリ(１)より領収書記入文字の最後の文字より順次読出して、料金確定後でないと印字出来ない列まで前記印字器(２)で印字させ、」　
とされているのに対し、刊行物１に記載された発明では、このように「最後の文字より」読出したり、「料金確定後でないと印字出来ない列まで印字させ、」たりはしていない。
　この点で両発明は、相違している。（以下、「相違点Ｂ」という。）
　
　
（判断）
・相違点Ａについて
　まず、相違点Ａについて検討する。
　相違点Ａ中の「領収書印字文字の文字データを記録する文字記録メモリ（１）」は、刊行物２に記載された発明の「取引データメモリ６２」および「ロゴ印字データメモリ３５ａ」に相当すると認められる。
　また、相違点Ａ中の
「入力データが文字印字指令データか料金データであるかを判定する入力データ判定手段(３)と、
　前記入力データ判定手段(３)で、
　文字印字指令であると判定された場合は、前記文字記録メモリ(１)より領収書記入文字を順次読出して、前記印字器(２)で印字させ、
　料金データであると判定された場合は、入力料金データに関連する文字および残りの領収書記入文字を前記文字記録メモリ(１)より読出して印字器(２)で印字させ、
る印字処理手段(４)と、」
に対しては、刊行物２の上記の引用箇所（第３ページ右上欄１４〜１９行）に、「(2)取引データの登録により、インタフェース回路３１に印字情報が入力されると、スペースデータ，改行データ，及び印字データが夫々スペース制御部３２，改行制御部３３，及び印字制御部３４へ送られて、供給されるレシート用紙に印字ヘッド３ｂにより印字が行われる。」と開示されており、同引用箇所（第３ページ右上欄１９行〜左下欄８行）には、「(3)取引データの印字が終了すると、ロゴコマンド部６１ａからロゴ印字指令がインタフェース回路３１に送られ、ロゴコマンド認識部３６ｂにおいてロゴ印字指令が認識される。(4)するとロゴ印字データ制御部３６ｂによってロゴ印字データメモリ３５ａから該当するロゴ印データが読み出されて、各々スペース制御部３２，改行制御部３３，及び印字制御部３４へ送られて、レシ−ト用紙に印字が行われ、レシート７０が発行される。」と開示されている。
　このように、「（取引データの）印字情報」あるいは「ロゴ印字指令」が「インタフェース回路３１」に入力された場合、これらの情報あるいは指令に対応して、各々異なった処理を行うのであるから、必然的に「主制御部３０」には、「（取引データの）印字情報」と「ロゴ印字指令」との判定手段がなければならない。つまり、“「（取引データの）印字情報」と「ロゴ印字指令」との判定手段”は、刊行物２に明記はされていないが、このような手段を「主制御部３０」が有していることは、自明である。
　そして、「（取引データの）印字情報」と判定された場合は「取引データメモリ６２」から文字データを読み出し、「ロゴ印字指令」と判定された場合は「ロゴ印字データメモリ３５ａ」から文字データを読み出すであろうことは、容易に推測される程度の事項でしかない。
　したがって、相違点Ａは、容易に想到された程度のものである。
　
・相違点Ｂについて
　次に、相違点Ｂについて検討する。相違点Ｂにおける、訂正後の請求項１に係る発明の構成である、
（前記入力データ判定手段(３)で文字印字指令であると判定された場合においては、）「前記文字記録メモリ(１)より領収書記入文字の最後の文字より順次読出して、料金確定後でないと印字出来ない列まで前記印字器(２)で印字させ、」
は、上記刊行物２にも記載されていない。
　そして、この構成により、本件明細書【００２８】段落に記載された
「料金確定後に印字する文字は少なくなり料金確定後領収書発行に要する時間は大幅に短縮される。」
という発明の効果をより確実に達成できると認められる。
　したがって、相違点Ｂは、容易に想到されたものではない。
　
　このように、相違点Ｂは、当業者が容易に想到し得たものではないので、訂正後の請求項１に係る発明は、刊行物１および２に記載された各発明に基づいて当業者が容易になし得た発明ではない。
　
　
《訂正後の請求項２について》
（対比）
　刊行物１に記載された発明を、訂正後の請求項２に係る発明と対比すると、刊行物１に記載された「タクシー用の領収書発行装置」および「プリンター１５」は、請求項２に記載された「タクシー領収書発行装置」および「印字器（２）」にそれぞれ相当すると認められる。
（一致点）
　したがって、両発明は、
「　タクシーの乗車料金の領収書を発行するタクシー領収書発行装置であって、　
領収書発行用紙に文字を印字する印字器（２）、
　を備えたことを特徴とするタクシー領収書発行装置。」
で一致し、以下のＣ，Ｄの２点で相違する。
（相違点）
相違点Ｃ：訂正後の請求項２に係る発明は、
「領収書印字文字の文字データを記録する文字記録メモリ(1)と、
　入力データが文字印字指令データか料金データであるかを判定する入力データ判定手段（３）と、
　前記入力データ判定手段（３）で、
　文字印字指令であると判定された場合は、領収書記入文字を前記文字記録メモリ（１）より読出して前記印字器（２）で印字させ、
　料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、
る印字処理手段（４）と、」
を備えているが、刊行物１に記載された発明は、これらのメモリ、判定手段及び処理手段を備えているかどうか不明である。
　この点で両発明は、相違している。（以下、「相違点Ｃ」という。）
　
相違点Ｄ：訂正後の請求項２に係る発明では、
　前記入力データ判定手段(３)で文字印字指令であると判定された場合においては、「料金確定後でないと印字出来ない文字を除く領収書記入文字を前記文字記録メモリ(１)より順次読出して、」　
とされているのに対し、刊行物１に記載された発明では、このように「料金確定後でないと印字出来ない文字を除く領収書記入文字を」読出してはいない。
　この点で両発明は、相違している。（以下、「相違点Ｄ」という。）
　
　
（判断）
・相違点Ｃについて
　まず、相違点Ｃについて検討する。
　相違点Ｃ中の「領収書印字文字の文字データを記録する文字記録メモリ（１）」は、刊行物２に記載された発明の「取引データメモリ６２」および「ロゴ印字データメモリ３５ａ」に相当すると認められる。
　また、相違点Ｃ中の
「入力データが文字印字指令データか料金データであるかを判定する入力データ判定手段（３）と、
　前記入力データ判定手段（３）で、
　文字印字指令であると判定された場合は、領収書記入文字を前記文字記録メモリ（１）より読出して前記印字器（２）で印字させ、
　料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、
る印字処理手段（４）と、」
に対しては、刊行物２の上記の引用箇所（第３ページ右上欄１４〜１９行）に、「(2)取引データの登録により、インタフェース回路３１に印字情報が入力されると、スペースデータ，改行データ，及び印字データが夫々スペース制御部３２，改行制御部３３，及び印字制御部３４へ送られて、供給されるレシ‐ト用紙に印字ヘッド３ｂにより印字が行われる。」と開示されており、同引用箇所（第３ページ右上欄１９行〜左下欄８行）には、「(3)取引データの印字が終了すると、ロゴコマンド部６１ａからロゴ印字指令がインタフェース回路３１に送られ、ロゴコマンド認識部３６ｂにおいてロゴ印字指令が認識される。(4)するとロゴ印字データ制御部３６ｂによってロゴ印字データメモリ３５ａから該当するロゴ印データが読み出されて、各々スペース制御部３２，改行制御部３３，及び印字制御部３４へ送られて、レシ−ト用紙に印字が行われ、レシート７０が発行される。」と開示されている。
　このように、「（取引データの）印字情報」あるいは「ロゴ印字指令」が「インタフェース回路３１」に入力された場合、これらの情報あるいは指令に対応して、各々異なった処理を行うのであるから、必然的に「主制御部３０」には、「（取引データの）印字情報」と「ロゴ印字指令」との判定手段がなければならない。つまり、“「（取引データの）印字情報」と「ロゴ印字指令」との判定手段”は、刊行物２に明記はされていないが、このような手段を「主制御部３０」が有していることは、自明である。
　そして、「（取引データの）印字情報」と判定された場合は「取引データメモリ６２」から文字データを読み出し、「ロゴ印字指令」と判定された場合は「ロゴ印字データメモリ３５ａ」から文字データを読み出すであろうことは、容易に推測される程度の事項でしかない。
　したがって、相違点Ｃは、容易に想到された程度のものである。
　
・相違点Ｄについて
　次に、相違点Ｄについて検討する。相違点Ｄにおける、訂正後の請求項２に係る発明の構成である、
（前記入力データ判定手段(３)で文字印字指令であると判定された場合においては、）「料金確定後でないと印字出来ない文字を除く領収書記入文字を前記文字記録メモリ(１)より順次読出して、」
は、上記刊行物２にも記載されていない。
　そして、この構成により、本件明細書【００２８】段落に記載された
「料金確定後に印字する文字は少なくなり料金確定後領収書発行に要する時間は大幅に短縮される。」
という発明の効果をより確実に達成できると認められる。
　したがって、相違点Ｄは、容易に想到されたものではない。
　
　このように、相違点Ｄは、当業者が容易に想到し得たものではないので、訂正後の請求項２に係る発明は、刊行物１および２に記載された各発明に基づいて当業者が容易になし得た発明ではない。
　
　
《まとめ》
　このように、訂正後の請求項１および２に係る発明は、いずれも、刊行物１および２に記載された発明に基づいて当業者が容易に発明をすることができたものではない。
　したがって、訂正後の請求項１および２に係る発明が、特許出願の際独立して特許を受けることができないものであるとはいえない。
　
（５）むすび
　以上のとおりであるから、上記訂正は、特許法等の一部を改正する法律（平成６年法律第１１６号、以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書き、第２項および第３項の規定に適合するので、当該訂正を認める。
　
　
３．特許異議申立てについて
（１）申し立て理由の概要
　特許異議申立人　佐藤勝明　は、
甲第１号証：特開平４−５９３７１号公報
甲第２号証：特開昭６３−１７２６６２号公報
を提出して、本件請求項１に係る発明はこれらの甲第１および２号証に記載された発明に基づいて当業者が容易に発明をすることができたものであるから、特許法第２９条第２項の規定に該当し、特許を受けることができないものである。したがって、本件請求項１に係る発明の特許は特許法第１１３条第１項第２号の規定に該当するので取り消されるべきものである旨主張している。
　
（２）判断
　このように特許異議の申立てがなされた本件請求項１に係る発明は、上記のように、訂正の結果削除され、特許異議申立ての対象が存在しない。（特に、上記の２．（３）イ．参照。）
　よって、結論のとおり決定する。　
【異議決定日】
平成１４年２月１３日（２００２．２．１３）
【訂正の要旨】
訂正の要旨
　特許権者が求めている訂正の要旨は、手続補正書に添付された全文訂正明細書に記載された、以下のａ．〜ｃ．のものである。
ａ．特許請求の範囲の
「【請求項１】　タクシーの乗車料金の領収書を発行するタクシー領収書発行装置であって、
　領収書印字文字の文字データを記録する文字記録メモリ（１）と、
　領収書発行用紙に文字を印字する印字器（２）と、
　入力データが文字印字指令データか料金データであるかを判定する入力データ判定手段（３）と、
　前記入力データ判定手段（３）で、
　文字印字指令であると判定された場合は、前記文字記録メモリ（１）より領収書記入文字を順次読出して前記印字器（２）で印字させ、
　料金データであると判定された場合は、料金データに関連する文字を前記文字記録メモリ（１）より読出して印字器（２）で印字させ、
る印字処理手段（４）と、
　を備えたことを特徴とするタクシー領収書発行装置。
　【請求項２】　前記印字処理手段（４）を、前記入力データ判定手段（３）で、
　文字印字指令であると判定された場合は、前記文字記録メモリ（１）より領収書記入文字の最後の文字より順次読出して、料金確定後でないと印字出来ない列まで前記印字器（２）で印字させ、
　料金データであると判定された場合は、入力料金データに関連する文字および残りの領収書記入文字を前記文字記録メモリ（１）より読出して印字器（２）で印字させ、
るようにしたことを特徴とする請求項１記載のタクシー領収書発行装置。
　【請求項３】　前記印字処理手段（４）を、前記入力データ判定手段（３）で、
　文字印字指令であると判定された場合は、料金確定後でないと印字出来ない文字を除く領収書記入文字を前記文字記録メモリ（１）より読出して前記印字器（２）で印字させ、
　料金データであると判定された場合は、入力判定手段（３）で文字印字指令であると判定されて印字器（２）で印字された領収書の未印字の料金データおよび文字を前記文字記録メモリ（１）より読出して印字器（２）で印字させるようにしたことを特徴とする請求項１記載のタクシー領収書発行装置。」
を、
「【請求項１】　タクシーの乗車料金の領収書を発行するタクシー領収書発行装置であって、
　領収書印字文字の文字データを記録する文字記録メモリ（１）と、
　領収書発行用紙に文字を印字する印字器（２）と、
　入力データが文字印字指令データか料金データであるかを判定する入力データ判定手段（３）と、
　前記入力データ判定手段（３）で、
　文字印字指令であると判定された場合は、前記文字記録メモリ（１）より領収書記入文字の最後の文字より順次読出して、料金確定後でないと印字出来ない列まで前記印字器（２）で印字させ、
　料金データであると判定された場合は、入力料金データに関連する文字および残りの領収書記入文字を前記文字記録メモリ（１）より読出して印字器（２）で印字させ、
る印字処理手段（４）と、
　を備えたことを特徴とするタクシー領収書発行装置。
　【請求項２】　タクシーの乗車料金の領収書を発行するタクシー領収書発行装置であって、
　領収書印字文字の文字データを記録する文字記録メモリ（１）と、
　領収書発行用紙に文字を印字する印字器（２）と、
　入力データが文字印字指令データか料金データであるかを判定する入力データ判定手段（３）と、
　前記入力データ判定手段（３）で、
　文字印字指令であると判定された場合は、料金確定後でないと印字出来ない文字を除く領収書記入文字を前記文字記録メモリ（１）より読出して前記印字器（２）で印字させ、
　料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、
る印字処理手段（４）と、
を備えたことを特徴とするタクシー領収書発行装置。」
と訂正する。
ｂ．明細書の段落【０００６】の
「【０００６】
　【課題を解決するための手段】
　前述の課題を解決するための手段を図１を参照して説明する。図１は本発明の基本構成図である。
　タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字を順次読出して前記印字器（２）で印字させ、料金データであると判定された場合は、料金データに関連する文字を前記文字記録メモリ（１）より読出して印字器（２）で印字させる印字処理手段（４）と、を備える。」
を、
「【０００６】
　【課題を解決するための手段】
　前述の課題を解決するための手段を図１を参照して説明する。図１は本発明の基本構成図である。
　請求項１の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、前記文字記録メモリ（１）より領収書記入文字の最後の文字より順次読出して、料金確定後でないと印字出来ない列まで前記印字器（２）で印字させ、料金データであると判定された場合は、入力料金データに関連する文字および残りの領収書記入文字を前記文字記録メモリ（１）より読出して印字器（２）で印字させる印字処理手段（４）と、を備える。
　また、請求項２の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、料金確定後でないと印字出来ない文字を除く領収書記入文字を前記文字記録メモリ（１）より読出して前記印字器（２）で印字させ、料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、る印字処理手段（４）と、を備える。」
と訂正する。
ｃ．明細書の段落【０００８】の
「【０００８】
　印字処理手段４では、入力データ判定手段３で文字印字指令であった場合は、文字記録メモリ１より領収書記入文字を順次読出して印字器２で印字させる。
　また、入力データ判定手段３で料金データと判定された場合は、印字処理手段４は、料金データに関連する文字を文字記録メモリ１より読出して印字器２で印字させる。」
を、
「【０００８】
　請求項１の発明では、印字処理手段４では、入力データ判定手段３で文字印字指令であった場合は、文字記録メモリ１より領収書記入文字の最後の文字より順次読出して、料金確定後でないと印字出来ない列まで印字器２で印字させる。
　また、入力データ判定手段３で料金データと判定された場合は、料金データに関連する文字および残りの領収書記入文字を文字記録メモリ１より読出して印字器２で印字させる。
　また請求項２の発明では、印字処理手段４では、入力データ判定手段で文字印字指令であった場合は、料金確定後でないと印字出来ない文字を除く領収書記入文字を文字記録メモリ１より読出して印字器２で印字させる。
　また、入力データ判定手段で料金データと判定された場合は、入力データ判定手段３で文字印字指令であると判定されて印字器２で印字された領収書の未印字の料金データおよび文字を文字記録メモリ１より読出して印字器２で印字させる。」
と訂正する。
（５４）【発明の名称】
タクシー領収書発行装置
（５７）【特許請求の範囲】
　【請求項１】　タクシーの乗車料金の領収書を発行するタクシー領収書発行装置であって、
　領収書印字文字の文字データを記録する文字記録メモリ（１）と、
　領収書発行用紙に文字を印字する印字器（２）と、
　入力データが文字印字指令データか料金データであるかを判定する入力データ判定手段（３）と、
　前記入力データ判定手段（３）で、
　文字印字指令であると判定された場合は、前記文字記録メモリ（１）より領収書記入文字の最後の文字より順次読出して、料金確定後でないと印字出来ない列まで前記印字器（２）で印字させ、
　料金データであると判定された場合は、入力料金データに関連する文字および残りの領収書記入文字を前記文字記録メモリ（１）より読出して印字器（２）で印字させ、
る印字処理手段（４）と、
　を備えたことを特徴とするタクシー領収書発行装置。
　【請求項２】　
タクシーの乗車料金の領収書を発行するタクシー領収書発行装置であって、
　
領収書印字文字の文字データを記録する文字記録メモリ（１）と、
　
領収書発行用紙に文字を印字する印字器（２）と、
　
入力データが文字印字指令データか料金データであるかを判定する入力データ判定手段（３）と、
　前記入力データ判定手段（３）で、
　文字印字指令であると判定された場合は、料金確定後でないと印字出来ない文字を除く領収書記入文字を前記文字記録メモリ（１）より読出して前記印字器（２）で印字させ、
　料金データであると判定された場合は、入力
データ
、る印字処理手段（４）と、
を備え
るタ
【発明の詳細な説明】
　【０００１】
　【産業上の利用分野】
　本発明はタクシーの乗車料の領収書を発行するタクシー領収書発行装置に関する。
　【０００２】
　【従来の技術】
　従来のタクシー領収書発行装置は、例えば図７に示すように、予め印刷された用紙に、料金確定後に日付、料金および車番等を印字するようにしていた。
　この方法は、印字項目が少ないため、料金確定後の印字時間が短かいと云う利点があるが、例えばチケット等による支払の場合の未収書（証明書）の発行が出来なかったり、また、予め印刷しておかなければならないために、小規模ユーザや個人タクシーにはコストが高くなる欠点があった。
　【０００３】
　そこで、従来は、長時間を要すが、白紙に料金確定後、印字して領（未）収書を発行するようにしていた。
　【０００４】
　【発明が解決しようとする課題】
　前述したしように、従来のタクシー領収書発行装置は、白紙に料金確定後、日付、料金、車番等を印字して領収書を発行するようにしていた。
　このため、領収書を発行するに要する時間が長時間を要していた。
　【０００５】
　本発明は、領収書発行に要する時間を短縮するよう改良したタクシー領収書発行装置を提供することを目的とする。
　【０００６】
　【課題を解決するための手段】
　前述の課題を解決するための手段を図１を参照して説明する。図１は本発明の基本構成図である。
　
請求項１の発明においては、
　
また、請求項２の発明においては、タクシーの乗車料金の領収書を発行するタクシー領収書発行装置であって、領収書印字文字の文字データを記録する文字記録メモリ（１）と、領収書発行用紙に文字を印字する印字器（２）と、入力データが文字印字指令データか料金データであるかを判定する入力データ判定手段（３）と、前記入力データ判定手段（３）で、文字印字指令であると判定された場合は、料金確定後でないと印字出来ない文字を除く領収書記入文字を前記文字記録メモリ（１）より読出して前記印字器（２）で印字させ、料金データであると判定された場合は、入力データ判定手段（３）で文字印字指令であると判定されて印字器（２）で印字された領収書の未印字の料金データおよび文字を前記文字記録メモリ（１）より読出して印字器（２）で印字させ、る印字処理手段（４）と、を備える。
　【０００７】
　【作用】
　文字記録メモリ１には、領収書発行に必要な文字の文字データを予め記録しておく。
　入力データ判定手段３では、入力されたデータが文字印字指令であるか料金データであるかを判定する。
　【０００８】
　
請求項１の発明では、
　また、入力データ判定手段３で料金データと判定された場合は、料金データに関連する文字および残りの領収書記入文字を文字記録メモリ１より読出して印字器２で印字させる。
　
また請求項２の発明では、印字処理手段４では、入力データ判定手段で文字印字指令であった場合は、料金確定後でないと印字出来ない文字を除く領収書記入文字を文字記録メモリ１より読出して印字器２で印字させる。
　
また、入力データ判定手段で料金データと判定された場合は、入力データ判定手段３で文字印字指令であると判定されて印字器２で印字された領収書の未印字の料金データおよび文字を文字記録メモリ１より読出して印字器２で印字させる。
　【０００９】
　以上のように、料金確定前に、領収書記入文字を予め印字させておき、料金確定後に料金、日付および料金確定後でないと印字できない文字を印字させるようにしたので、料金確定後に印字する文字は少なくなり料金確定後領収書発行に要する時間は大幅に短縮される。
　【００１０】
　【実施例】
　本発明の一実施例を図２および３を参照して説明する。図２は本発明の第１の実施例の構成図、図３は同実施例の動作フローチャートである。
　図２において、１は領収書印字文字の文字データを記録する文字記録メモリ、１０はプロセッサ（ＣＰＵ）であり、Ｉ／Ｏ１５より入力された料金データ等を記録するメモリ１１、Ｉ／Ｏ１５を介して入力されたデータが文字印字指令か料金データであるかを判定する入力データ判定部１２、および印字部２で印字させる印字処理部１３とを備えており、１４は領収書または未領収書の発行を指令する領収未収スイッチである。
　【００１１】
　Ｉ／Ｏ１５には、図示しないタクシーメータより、タクシーメータのタリフを賃走または割増等に設定したことを表す営業信号、タリフを支払に設定したことを表す支払信号および賃走料金データが入力される。
　また、領収未収スイッチ１４は、図５に示すように、領収スイッチと未収スイッチで構成され、領収スイッチをオンにすれば領収書を、未収スイッチをオンにすれば未収書の発行を指令する。
　【００１２】
　つぎに、図３を参照して、第１の実施例の動作を説明する。
　処理Ｓ１では、入力データ判定部１２は、Ｉ／Ｏ１５を介して入力されたデータが印字指令であるか料金データであるかを判定し、印字指令ならば処理Ｓ２に移り、料金データならば処理Ｓ３に移る。
　【００１３】
　入力データ判定部１２での印字指令か料金データであるかの判定は、Ｉ／Ｏ１５を介して入力される図示しないタクシーメータよりのデータには、営業信号ライン、支払信号ラインの２つの信号ラインがタクシーメータから領収書発行装置に接続されており、タクシーメータのタリフを営業に設定した場合はタクシーメータより営業信号を受取り、またタリフを支払にした場合はタクシーより支払信号を受取る。
　【００１４】
　したがって、入力データ判定部１２では、入力された信号を見て、営業信号を受取ったならば印字指令、支払信号を受取ったならば料金データであると判定する。
　客が乗車し、乗務員がタクシーメータのタリフを賃走に設定すると、まず処理Ｓ２が実行される。
　【００１５】
　処理Ｓ２では、印字処理部１３は、予め決められた領収書の形式に従って、最後の列の文字を文字記録メモリ１より順次読出して、料金確定後でないと印字出来ない列までを印字器２で印字させる。
　例えば領収書発行形式が図４で示すものであれば、まず最後の列である会社の住所および電話番号に対する文字データを文字記録メモリ１より読出して印字器２で印字させ、続いて次に最後より第２列目の会社名、続いてコメント文、車番を印字させる。
　【００１６】
　最後より第５列目は料金の印字となるため、入力データ判定部１２で印字指令と判定された場合は、領収書形式が図４で示す場合であるならば、最後より第４行目までを印字器２で印字する。
　すなわち、図４に示すように、領収書の最終列より順次印字されて、料金印字列の１列前まで印字する。
　【００１７】
　処理Ｓ２での印字が終了すると、処理Ｓ１に移って待期し、次にＩ／Ｏ１５よりデータが入力されるのを待つ。
　乗務員が客の要求した目的地に着き、タクシーメータのタリフを支払にすると、タクシーメータからは料金データが出力される。
　【００１８】
　タクシーメータより料金データがＩ／Ｏ１５を介して入力されると、処理Ｓ１では入力データは料金データであると判定され処理Ｓ３に移る。
　処理Ｓ３では、印字処理部１３は入力された料金および日付データをメモリ１１に記録する。
　【００１９】
　処理Ｓ４では、印字処理部１３は、領収未収スイッチ１４よりの指令が領収書発行指令であるか未収書発行指令であるかをは判定して、領収書発行指令であるならば処理Ｓ５に、未収書発行指令であるならば処理Ｓ６に移る。
　処理Ｓ５では、印字処理部１３は、図４（Ａ）に示すように、メモリ１１に記録されている料金および日付データを読出して、印字器２で印字し、最後に「領収書」の文字を印字して処理Ｓ１に移り、次の領収書発行にそなえる。
　【００２０】
　また、処理Ｓ６では、処理Ｓ５と同様に料金および日付を印字し、最後に「未収書」を印字して処理Ｓ１に移り、次の領収書発行にそなえる。
　次に図６を参照して第２の実施例の動作を説明する。なお第２の実施例の構成は第１の実施例と同一構成であるが、第１の実施例での印字器２は一度印字した列に再度印字させることが出来なかったが、第２の実施例の印字器２は過去に印字された列を元にもどして再度印字することが出来る印字器が使用される。
　【００２１】
　処理Ｓ１１では、入力データ判定部１２は、Ｉ／Ｏ１５を介して入力されるデータが印字指令であるか、料金データであるかを判定し、印字指令ならば処理Ｓ１２に、また料金データならば処理Ｓ１３に移る。
　すなわち、処理Ｓ１１は、第１の実施例の処理Ｓ１と同様な処理を行なう。
　【００２２】
　処理Ｓ１２では、印字処理部１３は、予め決められた領収書の形式に従って、料金確定後でないと印字できない文字を除く領収書記入文字を文字記録メモリ１より読出して印字器２で印字させる。
　すなわち、領収書の形式が図４である場合は、「領（未）収書」の「領」または「未」を除く「収書」を、日付欄は「日付　年　月　日」を、料金欄には、「料金　　円」を、またその後の文字は全て印字する。
　【００２３】
　印字に終了すると処理Ｓ１１に移ってＩ／Ｏ１５からの料金データが入力されるのを待つ。
　処理Ｓ１３では、Ｉ／Ｏ１５より料金データが入力されると、印字処理部１３は入力された料金および日付データをメモリ１１に記録する。
　【００２４】
　処理Ｓ１４では、印字処理部１３は、領収未収スイッチ１４よりの指令が領収書発行指令であるか未収書発行指令であるかを判定して、領収書発行指令ならば処理Ｓ１５に、また未収書発行指令ならば処理Ｓ１６に移る。
　処理Ｓ１５では、印字処理部１３は、図４（Ａ）に示すように、メモリ１１に記録されている料金および日付データを読出して、印字器２に印字し、印字が終了すると処理Ｓ１１に移り、次の領収書発行にそなえる。
　【００２５】
　すなわち、処理Ｓ１５では、印字器２で印字した用紙をもどして、最初の列の「領」を、日付の列の「５　４　１３　８：５８」を、料金別の「￥３５１０」を印字する。
　また、処理Ｓ１６では、処理Ｓ１５と同様に料金および日付、および未収書の「未」を印字する。
　【００２６】
　なお第２の実施例では処理Ｓ１１での判定で印字指令であると判定された場合は、料金確定後でないと印字できない文字を除く全ての文字を印字させるようにしたが、料金確定後でないと印字できない文字を含む列を除いて印字させ、料金確定後に除いた列を印字させるようにしてもよい。
　【００２７】
　以上、本発明の一実施例について説明したが、本発明はこの実施例に限定されるものではなく、その発明の主旨に従った各種変形が可能である。
　【００２８】
　【発明の効果】
　以上説明したように、本発明によれば次の効果が得られる。
　料金確定前に、領収書記入文字を予め印字させておき、料金確定後に料金、日付および料金確定後でないと印字できない文字を印字させるようにしたので、料金確定後に印字する文字は少なくなり料金確定後領収書発行に要する時間は大幅に短縮される。
【図面の簡単な説明】
　【図１】
　本発明の基本構成図である。
　【図２】
　本発明の第１および第２の実施例の構成図である。
　【図３】
　第１の実施例の動作フローチャートである。
　【図４】
　第１の実施例の領収書具体例である。
　【図５】
　第２の実施例の領収書発行の説明図である。
　【図６】
　第２の実施例の動作フローチャートである。
　【図７】
　従来の領収書の具体例である。
　【符号の説明】
　１　　文字記録メモリ
　２　　印字器
　３　　入力データ判定手段
　４　　印字処理手段
　１０　プロセッサ（ＣＰＵ）
　１１　メモリ
　１２　入力データ判定部
　１３　印字処理部
　１４　領収未収スイッチ
　１５　インタフェース（Ｉ／Ｏ）